(57)【特許請求の範囲】
【請求項１】
封筒用紙および封入物用紙に印刷処理を施し、印刷済前記封筒用紙および印刷済封入物用紙から封筒および封入物をそれぞれ形成して前記封筒に前記封入物を封入封緘する封書の作成処理を通の単位で行う封書作成装置において、
前記封書作成処理中の、前記封筒用紙、前記封入物用紙、前記印刷済封筒用紙、前記印刷済封入物用紙、前記封筒または前記封入物の少なくともいずれかによるジャムの発生を検出するジャム発生検出部と、
前記ジャムのユーザによる解除を検出するジャム解除検出部と、
前記ジャム発生検出部が前記ジャムの発生を検出したとき、前記封書作成処理を中断し、その後前記ジャム解除検出部が前記ジャムの解除を検出したとき、前記封書作成装置に少なくとも封筒用紙を供給して封入封緘処理を実行させることでテスト封書を１通のみ作成するテスト封書作成処理を前記封書作成処理とは別に実行し、該テスト封書作成処理の実行後、前記ジャムを検出した通以降の前記封書作成処理を再開させる制御部とを備えたことを特徴とする封書作成装置。
【請求項２】
前記テスト封書作成処理の際に作成されるテスト封書は、前記ジャムが検出された通に対するデータが印刷された封筒用紙および封入物用紙を含むことを特徴とする請求項１記載の封書作成装置。
【請求項３】
封筒用紙および封入物用紙に印刷処理を施し、印刷済前記封筒用紙および印刷済封入物用紙から封筒および封入物をそれぞれ形成して前記封筒に前記封入物を封入封緘する封書の作成処理を行う封書作成装置において、
前記封書作成処理中の、前記封筒用紙、前記封入物用紙、前記印刷済封筒用紙、前記印刷済封入物用紙、前記封筒または前記封入物の少なくともいずれかによるジャムの発生を検出するジャム発生検出部と、
前記ジャムのユーザによる解除を検出するジャム解除検出部と、
前記ジャム発生検出部が前記ジャムの発生を検出したとき、前記封書作成処理を中断し、その後前記ジャム解除検出部が前記ジャムの解除を検出したとき、前記封書作成装置内に残留する前記印刷済封入物用紙から形成された前記封入物が前記封書作成処理の再開後に作成される前記封書に混入されないよう、前記残留する前記印刷済封入物用紙から形成された前記封入物を封入封緘する１通のテスト封書を自動的に作成させる制御部と、
前記封書および前記テスト封書を排紙する排紙部と、
該排紙部内の前記封書および前記テスト封書の有無を検出する封書検出部とを備え、
該封書検出部が前記テスト封書が作成された後に該テスト封書が前記排紙部内にないことを検出したとき、前記制御部が前記封書作成処理を再開させるものであることを特徴とする封書作成装置。
【請求項４】
封筒用紙および封入物用紙に印刷処理を施し、印刷済前記封筒用紙および印刷済封入物用紙から封筒および封入物をそれぞれ形成して前記封筒に前記封入物を封入封緘する封書の作成処理を行う封書作成装置において、
前記封書作成処理中の、前記封筒用紙、前記封入物用紙、前記印刷済封筒用紙、前記印刷済封入物用紙、前記封筒または前記封入物の少なくともいずれかによるジャムの発生を検出するジャム発生検出部と、
前記ジャムのユーザによる解除を検出するジャム解除検出部と、
前記ジャム発生検出部が前記ジャムの発生を検出したとき、前記封書作成処理を中断し、その後前記ジャム解除検出部が前記ジャムの解除を検出したとき、前記封書作成装置内に残留する前記印刷済封入物用紙から形成された前記封入物が前記封書作成処理の再開後に作成される前記封書に混入されないよう、前記残留する前記印刷済封入物用紙から形成された前記封入物を封入封緘する１通のテスト封書を自動的に作成させる制御部と、
前記封書またはテスト封書を排紙する複数の排紙部を備え、
前記制御部が、前記複数の排紙部のうち前記封書を排紙する排紙部以外の排紙部に前記テスト封書を排紙させるものであることを特徴とする封書作成装置。
【請求項５】
封筒用紙および封入物用紙に印刷処理を施し、印刷済前記封筒用紙および印刷済封入物用紙から封筒および封入物をそれぞれ形成して前記封筒に前記封入物を封入封緘する封書の作成処理を行う封書作成装置において、
前記封書作成処理中の、前記封筒用紙、前記封入物用紙、前記印刷済封筒用紙、前記印刷済封入物用紙、前記封筒または前記封入物の少なくともいずれかによるジャムの発生を検出するジャム発生検出部と、
前記ジャムのユーザによる解除を検出するジャム解除検出部と、
前記ジャム発生検出部が前記ジャムの発生を検出したとき、前記封書作成処理を中断し、その後前記ジャム解除検出部が前記ジャムの解除を検出したとき、前記封書作成装置内に残留する前記印刷済封入物用紙から形成された前記封入物が前記封書作成処理の再開後に作成される前記封書に混入されないよう、前記残留する前記印刷済封入物用紙から形成された前記封入物を封入封緘する１通のテスト封書を自動的に作成させる制御部とを備え、
前記制御部が、前記印刷処理を施さない前記封筒用紙で形成された前記封筒に前記残留する前記印刷済封入物から形成された前記封入物を封入封緘して前記テスト封書を自動的に作成させるものであることを特徴とする封書作成装置。
【発明の詳細な説明】
【技術分野】
【０００１】
本発明は、封筒用紙および封入物用紙に印刷処理を施し、印刷済封筒用紙および印刷済封入物用紙から封筒および封入物をそれぞれ形成して封筒に封入物を封入封緘する封書の作成処理を行う封書作成装置に関する。
【背景技術】
【０００２】
近年、ダイレクトメールなどの封書の利用拡大にともなって、印刷装置による封筒用紙および封入物用紙への印刷と、封入封緘装置による印刷済封筒用紙および印刷済封入物用紙からの封筒および封入物の形成と封筒への封入物の封入封緘とを組み合わせ、封書作成処理を自動的に行う封書作成装置が種々提案されている（特許文献１）。
【０００３】
ところで、このような封書作成装置において、封書の作成処理中に、封筒用紙、封入物用紙、印刷済封筒用紙、印刷済封入物用紙、封筒または封入物のいずれかによってジャムが発生すると、ユーザがジャム解除手順に従って封書作成装置内に残留するこれら各紙を全て取り除き、その後に封書の作成処理を再開させている。
【先行技術文献】
【特許文献】
【０００４】
【特許文献１】特開２００１−０９６９８７号公報
【発明の概要】
【発明が解決しようとする課題】
【０００５】
しかしながら、封書作成装置は、印刷済封入物用紙を一旦貯めて整合した後に封入物を形成するという処理を施しているため、たとえセンサ等を用いても、印刷済封入物用紙の種類や形状等の違いによって一旦貯めて整合されている印刷済封入物用紙が封書作成装置内から完全に取り除かれたか否かを確認できない可能性がある。
【０００６】
したがって、封書作成装置内に印刷済封入物用紙が残留した状態で封書の作成処理を再開すると、残留した印刷済封入物用紙で封入物が形成されてしまい、再開後に作成された封書に混入してしまう虞がある。さらに、当該混入した封入物も封筒に封入封緘されてしまうため、ユーザは混入を確認するこができない。
【０００７】
本発明の目的は、上記事情に鑑み、ジャムが解除されて封書の作成処理が再開するとき、再開後に作成された封書に残留していた印刷済封入物用紙で形成された封入物が混入することを防止できる封書作成装置を提供することにある。
【課題を解決するための手段】
【０００８】
上記の課題を解決するために、本発明の封書作成装置は、封筒用紙および封入物用紙に印刷処理を施し、印刷済封筒用紙および印刷済封入物用紙から封筒および封入物をそれぞれ形成して封筒に封入物を封入封緘する封書の作成処理を行う封書作成装置において、封書作成処理中の、封筒用紙、封入物用紙、印刷済封筒用紙、印刷済封入物用紙、封筒または封入物の少なくともいずれかによるジャムの発生を検出するジャム発生検出部と、ジャムのユーザによる解除を検出するジャム解除検出部と、ジャム発生検出部がジャムの発生を検出したとき、封書作成処理を中断し、その後ジャム解除検出部がジャムの解除を検出したとき、封書作成装置内に残留する印刷済封入物用紙から形成された封入物が封書作成処理の再開後に作成される封書に混入されないよう、残留する印刷済封入物用紙から形成された封入物を封入封緘する１通のテスト封書を自動的に作成させる制御部とを備えたことを特徴とする。
【０００９】
本発明の封書作成装置における「ジャム」とは、封書作成処理中に封筒用紙、封入物用紙、印刷済封筒用紙、印刷済封入物用紙、封筒または封入物が封書作成装置内で紙詰まりを起こすことを意味する。
【００１０】
また、本発明の封書作成装置は、封書およびテスト封書を排紙する排紙部と、排紙部内の封書およびテスト封書の有無を検出する封書検出部とを備え、封書検出部がテスト封書が作成された後にテスト封書が排紙部内にないことを検出したとき、制御部が封書作成処理を再開させるものであってもよい。
【００１１】
また、本発明の封書作成装置は、封書またはテスト封書を排紙する複数の排紙部を備え、制御部が、複数の排紙部のうち封書を排紙する排紙部以外の排紙部にテスト封書を排紙させるものであってもよい。
【００１２】
また、本発明の封書作成装置は、制御部が、印刷処理を施さない封筒用紙で形成された封筒に残留する印刷済封入物から形成された封入物を封入封緘してテスト封書を自動的に作成させるものであってもよい。
【発明の効果】
【００１３】
本発明の封書作成装置によれば、封書作成処理中の、封筒用紙、封入物用紙、印刷済封筒用紙、印刷済封入物用紙、封筒または封入物の少なくともいずれかによるジャムの発生と当該ジャムのユーザによる解除をそれぞれ検出し、ジャムの発生を検出したときに封書作成処理を中断し、その後ジャムの解除を検出したときには封書作成装置内に残留する印刷済封入物用紙から形成された封入物が封書作成処理の再開後に作成される封書に混入されないよう、残留する印刷済封入物用紙から形成された封入物を封入封緘する１通のテスト封書を自動的に作成させることにより、印刷済封入物用紙が残留していた場合であっても、テスト封書に残留する印刷済封入物用紙から形成された封入物が封入封緘され、残留する印刷済封入物用紙から形成された封入物が再開後に作成される封書に混入することを防止できる。
【００１４】
また、本発明の封書作成装置によれば、排紙部に封書およびテスト封書を排紙して当該排紙部内の封書およびテスト封書の有無を検出し、テスト封書が作成された後に当該テスト封書が排紙部内にないときに封書作成処理を再開させるため、残留する印刷済封入物用紙から形成された封入物が再開後に作成される封書に混入することを防止できるとともに、テスト封書とジャム発生前や再開後に作成された封書とが混在することも防止できる。
【００１５】
また、本発明の封書作成装置によれば、封書またはテスト封書を複数の排紙部に排紙する際、複数の排紙部のうち封書を排紙する排紙部以外の排紙部にテスト封書を排紙させるため、残留する印刷済封入物用紙から形成された封入物が再開後に作成される封書に混入することを防止できるとともに、テスト封書とジャム発生前や再開後に作成された封書とが混在することも防止できる。また、テスト封書ＴＦＳが取り除かれたことを確認する必要がなく、封書作成処理をスムーズに再開できる。
【００１６】
また、本発明の封書作成装置によれば、封書作成装置内から完全に取り除かれたか否かをセンサによって確認できない可能性がある印刷済封入物用紙を用いた封書作成ジョブ実行時のみ、ユーザが選択的にテスト封書の作成を指示することができるため、複数ジョブ実行時の封書作成処理時間を短縮することができる。
【図面の簡単な説明】
【００１７】
【図１】封書作成システムの概略構成図
【図２】ジョブと通の概念を示す模式図
【図３】ジャム解除後に残留する封入物の混入を示す模式図
【図４】テスト封書を示す模式図（その１）
【図５】テスト封書を示す模式図（その２）
【図６】テスト封書を示す模式図（その３）
【図７Ａ】封書作成装置の一連の処理を示すフローチャート
【図７Ｂ】封書作成装置の一連の処理を示すフローチャートの続き
【発明を実施するための形態】
【００１８】
以下、図面を参照して本発明の実施形態である封書作成装置を用いた封書作成システムについて詳細に説明する。そして、本実施形態の封書作成装置は、封書ＦＳの作成処理中に発生したジャムをユーザが解除し、封書ＦＳの作成処理を再開するときの処理に特徴を有するものであるが、まず、システム全体の構成について説明する。
【００１９】
図１は、封書作成システム１の概略構成図である。封書作成システム１は、封筒Ｆおよび封入物Ｈの印刷データを生成するデータ処理装置１０と本発明の実施形態である、封筒用紙ＦＰおよび封入物用紙ＨＰへ印刷処理を施し、印刷済封筒用紙ＦＰ’および印刷済封入物用紙ＨＰ’から封筒Ｆおよび封入物Ｈをそれぞれ形成し、封筒に封入物Ｈを封入封緘して封書ＦＳを作成するまでの処理を連続して行う封書作成装置２から構成されている。
【００２０】
図２に示すように、封筒Ｆと封入物Ｈの組み合わせを通とする。そして、封書作成装置２は、所定通の封書ＦＳを１ジョブとして封書作成処理を行うものである。なお、本実施形態では、３通の封書ＦＳの作成処理を１ジョブとする。
【００２１】
再び図１を参照する。封書作成装置２は、データ処理装置１０に有線または無線ＬＡＮなどのネットワークを介して接続され、印刷データに基づいて封筒用紙ＦＰおよび封入物用紙ＨＰに印刷処理を施す印刷装置２０と、印刷装置２０から印刷済封筒用紙ＦＰ’と印刷済封入物用紙ＨＰ’とを受け取り、印刷済封筒用紙ＦＰ’と印刷済封入物用紙ＨＰ’とを用いて封筒Ｆと封入物Ｈとをそれぞれ形成し、封筒Ｆに封入物Ｈを封入封緘して封書ＦＳを作成する封入封緘装置３０と、印刷装置２０および封入封緘装置３０を制御する制御装置５０とを備えている。
【００２２】
データ処理装置１０は、封筒Ｆおよび封入物Ｈの印刷データを生成し、生成した印刷データを印刷装置２０に出力するものである。データ処理装置１０は、コンピュータによって構成され、表示部１１と、入力部１２と、本体１３とを備えている。表示部１１は、液晶モニタ等の表示装置であり、封筒Ｆおよび封入物Ｈの画像データを編集作成するアプリケーションの編集作成画面や、画像データに基づいて印刷データを生成するプリンタドライバのユーザインターフェースを表示するものである。
【００２３】
入力部１２は、キーボード、マウス、ポインティングデバイス等の入力装置であり、アプリケーションやプリンタドライバへの操作指示等を受け付けるものである。本体１３は、中央処理装置（ＣＰＵ）、半導体メモリ、アプリケーションおよびプリンタドライバがインストールされたハードディスク等から構成されるものである。
【００２４】
印刷装置２０は、印刷データに基づいて、封筒用紙ＦＰおよび封入物用紙ＨＰに印刷処理を施し、印刷済封筒用紙ＦＰ’と印刷済封入物用紙ＨＰ’とを封入封緘装置３０に排紙するものである。印刷装置２０はインクを吐出するインクヘッド部２１を備えている。インクヘッド部２１は、データ処理装置１０から出力された印刷データに含まれる画像データに基づいて、インクを吐出することにより、封筒用紙ＦＰおよび封入物用紙ＨＰに印刷処理を施し、印刷済封筒用紙ＦＰ’および印刷済封入物用紙ＨＰ’をそれぞれ形成する。インクヘッド部２１は、ブラックＫ、シアンＣ、マゼンダＭ、イエローＹの各色のインクを吐出する複数のライン型のインクヘッドを備えている。
【００２５】
また、印刷装置２０は、封入物用紙ＨＰが設置される給紙トレイ２２ａ，２２ｂ，２２ｃと、封筒用紙ＦＰが設置される給紙台２３とを備えている。そして、封書ＦＳを作成する際には、封筒用紙ＦＰと封入物用紙ＨＰとが、それぞれ給紙台２３と給紙トレイ２２ａ，２２ｂ，２２ｃとから給紙ローラなどの不図示の給紙機構によってピックアップされて給紙される。なお、封入物用紙ＨＰはサイズ等によって分かれて給紙トレイ２２ａ，２２ｂ，２２ｃに設置されてもよい。
【００２６】
また、印刷装置２０は、封筒用紙ＦＰと封入物用紙ＨＰとを搬送する循環搬送路２４を備えている。循環搬送路２４は、給紙台２３から給紙された封筒用紙ＦＰと給紙トレイ２２から給紙された封入物用紙ＨＰとをインクヘッド部２１の上流側から下流側に向けて搬送するものである。
【００２７】
また、循環搬送路２４は、片面印刷の際には、インクヘッド部２１において印刷処理が施された印刷済封筒用紙ＦＰ’と印刷済封入物用紙ＨＰ’とをそのまま連絡搬送路２５に受け渡し、両面印刷の際には、印刷済封筒用紙ＦＰ’と印刷済封入物用紙ＨＰ’とを反転部２６まで搬送し、反転部２６において表裏反転された印刷済封筒用紙ＦＰ’と印刷済封入物用紙ＨＰ’とを再びインクヘッド部２１の上流側から下流側へ搬送し、その後、インクヘッド部２１において再び印刷処理を施して連絡搬送路２５に受け渡すものである。そして、連絡搬送路２５は受け入れられた印刷済封筒用紙ＦＰ’および印刷済封入物用紙ＨＰ’を封入封緘装置３０にそれぞれ排紙するものである。
【００２８】
また、印刷装置２０は、各経路および反転部２６に用紙センサ２７を設けており、封筒用紙ＦＰ’、封入物用紙ＨＰ、印刷済封筒用紙ＦＰ’、もしくは印刷済封入物用紙ＨＰ’が所定時間内に通過するか否かを確認している。用紙センサ２７は、所定時間内に用紙が通過しないとき、印刷装置２０内で封筒用紙ＦＰ’、封入物用紙ＨＰ’、印刷済封筒用紙ＦＰ’もしくは封入物用紙ＨＰ’のいずれかによるジャムの発生を検出する。
【００２９】
また、用紙センサ２７は、ジャムが発生した後、ユーザが印刷装置２０内に残留する封筒用紙ＦＰ’、封入物用紙ＨＰ’、印刷済封筒用紙ＦＰ’および封入物用紙ＨＰ’を取り除くことにより、印刷装置２０内に封筒用紙ＦＰ’、封入物用紙ＨＰ’、印刷済封筒用紙ＦＰ’もしくは封入物用紙ＨＰ’のいずれもが確認されないとき、ジャムの解除を検出するものでもある。
【００３０】
封入封緘装置３０は、印刷装置２０から排紙された印刷済封筒用紙ＦＰ’から封筒Ｆ、印刷済封入物用紙ＨＰ’から封入物Ｈをそれぞれ形成し、封筒Ｆに封入物Ｈを封入封緘して封書ＦＳを作成するものである。封入封緘装置３０は、印刷装置２０の連絡搬送路２５から排紙された印刷済封筒用紙ＦＰ’を第１折り部３３まで搬送する第１搬送路３１と、連絡搬送路２５から排紙された印刷済封入物用紙ＨＰ’を第２折り部３５まで搬送する第２搬送路３２とを備えている。なお、第１搬送路３１と第２搬送路３２とは、不図示のフラップによって切り替えられるものである。
【００３１】
第１搬送路３１の終端には、印刷済封筒用紙ＦＰ’を折って封筒Ｆを形成するための第１折り部３３が設けられている。この第１折り部３３は、印刷済封筒用紙ＦＰ’の幅方向よりも長い複数のゴム製のローラから構成されるものである。第１折り部３３からは第３搬送路３６が設けられている。第３搬送路３６は、第１折り部３３で形成された封筒Ｆを封入封緘部３８まで搬送するものである。
【００３２】
第２搬送路３２の途中には整合部３４が設けられている。この整合部３４は、第２搬送路３２によって搬送された印刷済封入物用紙ＨＰ’を一旦貯めて整合するものであり、この整合部３４によって複数枚の印刷済封入物用紙ＨＰ’を重ねて貯留できるように構成されている。また、第２搬送路３２の終端には、印刷済封入物用紙ＨＰ’を折りたたみ封入物Ｈを形成する第２折り部３５が設けられている。この第２折り部３５は、印刷済封入物用紙ＨＰ’の幅方向よりも長い複数のゴム製のローラから構成されるものである。
【００３３】
そして、第２折り部３５からは第４搬送路３７が設けられている。第４搬送路３７は、第２折り部３５において形成された封入物Ｈを封入封緘部３８まで搬送するものである。すなわち、上述した第３搬送路３６と第４搬送路３７とは、封入封緘部３８において合流するように構成されている。また、第４搬送路３７の途中には、搬送ローラ３７ａが設けられており、第４搬送路３７によって搬送された封入物Ｈは、この搬送ローラ３７ａの地点において一旦待機する。
【００３４】
封入封緘部３８は第３折り部３９を備えている。第３折り部３９は、第１折り部３３おいて折られた封筒Ｆに対して、必要に応じてさらなる折りを施すものである。この第３折り部３９も、印刷済封筒用紙ＦＰ’の幅方向よりも長い複数のゴム製のローラから構成されるものである。また、封入封緘部３８は、第３折り部３９から下方に向けて延設された第５搬送路４０を備えている。そして、この第５搬送路４０の近傍には、封筒Ｆに水を付けて接着力を発揮させ、接着するための加水部４１が設けられている。
【００３５】
第４搬送路３７は、封筒Ｆが接着された後、一旦待機していた封入物Ｈを搬送ローラ３７ａによって封筒Ｆに向けて送り出すものである。第３折り部３９が、封入物Ｈが封筒Ｆに挟みこまれるように搬送し、封筒Ｆが封入物Ｈを封入する。第３折り部３９から斜め上方に向けて傾斜された第６搬送路４２が設けられている。
【００３６】
第６搬送路４２の途中には、封入封緘部３８の一部である圧着ローラ４３が設けられている。この圧着ローラ４３は、封入物Ｈが封入された封筒Ｆの幅方向の両縁部を、上下から挟持して圧力を加えることによって封緘して封書ＦＳを形成するものである。そして、圧着ローラ４３を通過した封書ＦＳは、第６搬送路４２の途中において、封緘が完了するまでの間、必要に応じて一旦停止され、その後、第６搬送路４２を経由して排出トレイ４４ａまたは排出トレイ４４ｂに排出される。
【００３７】
また、封入封緘装置３０は、各経路および各折り部に用紙センサ４５を設けており、印刷済封筒用紙ＦＰ’、印刷済封入物用紙ＨＰ’、封筒Ｆもしくは封入物Ｈが所定時間内に通過するか否かを確認している。用紙センサ４５は、所定時間内に各紙が通過しないとき、封入封緘装置３０内で印刷済封筒用紙ＦＰ’、印刷済封入物用紙ＨＰ’、封筒Ｆもしくは封入物Ｈのいずれかによるジャムの発生を検出する。
【００３８】
また、用紙センサ４５は、ジャムが発生した後、ユーザが封入封緘装置３０内に残留する印刷済封筒用紙ＦＰ’、印刷済封入物用紙ＨＰ’、封筒Ｆおよび封入物Ｈの全てを取り除くことにより、封入封緘装置３０内に印刷済封筒用紙ＦＰ’、印刷済封入物用紙ＨＰ’、封筒Ｆもしくは封入物Ｈのいずれもが確認されないとき、ジャムの解除を検出するものでもある。また、封入封緘装置３０は、排出トレイ４４ａ，４４ｂに排出された封書ＦＳや後述するテスト封書ＴＦＳが存在するか否かを検出する封書センサ４６ａ，４６ｂを設けている。なお、本実施形態において、作成された封書ＦＳは排出トレイ４４ａに排紙されているものとする。さらに、排出トレイは複数であってもよいが、排出トレイ４４ａのみであってよい。
【００３９】
制御装置５０は、印刷装置２０および封入封緘装置３０を制御することにより、封書作成処理の全体を制御するものである。また、制御装置５０は、封書作成装置２に設けられた不図示の表示操作画面にジャムの発生やジャムの解除方法を表示させたり、不図示の表示操作画面から受け付けたユーザ指示に基づいて封書作成処理を行わせることもできる。
【００４０】
封書ＦＳの作成処理中にジャムが発生し、当該ジャムをユーザが解除して封書ＦＳの作成処理を再開した場合について説明する。本実施形態において、封書作成装置２は、図３に示すように、１ジョブで１通目から３通目まで封書ＦＳを順次作成する。そして、２通目の２枚目の封入物２の作成途中でジャムが発生すると、制御装置５０は、封書作成処理を中断させ、ユーザにジャムの発生および解除方法を知らせる。そして、ユーザによりジャムが解除されると、封書作成処理を再開させる。
【００４１】
具体的に、制御装置５０は、封書作成装置２に残留する封筒用紙ＦＰ、封入物用紙ＨＰ、印刷済封筒用紙ＦＰ’、印刷済封入物用紙ＨＰ’、封筒Ｆおよび封入物Ｈを取り除く旨の解除方法をユーザに知らせ、ユーザが各紙を取り除き、用紙センサ２７，４５が各紙の残留を確認しないとき、封書作成処理をジャムが発生した２通目より再開させる。
【００４２】
しかしながら、前述の通り、封入物用紙ＨＰには様々なサイズがあり、ユーザが残留する各用紙を取り除いた場合であっても、整合部３４に印刷済封入物用紙ＨＰ’が残留している可能性がある。本実施形態においては、２通目の２枚目の封入物２となる印刷済封入物用紙ＨＰ’が整合部３４に残留している可能性がある。したがって、再開後に作成された２通目の封書ＦＳは、封筒２’に再作成された封入物２’と残留していた印刷済封入物用紙ＨＰ’で作成された封入物２が混入してしまう虞がある。
【００４３】
制御装置５０は、封書ＦＳの作成処理を再開する前に１通のテスト封書ＴＦＳを自動的に作成させるか否かの設定をユーザより受け付け、テスト封書ＴＦＳの自動作成が選択されていた場合にテスト封書ＴＦＳの作成を再開前に自動的に実行させる。
【００４４】
テスト封書ＴＦＳは、図４に示すように、封書ＦＳの作成処理を再開する前にジャムが発生した通の封筒Ｆおよび封入物Ｈを再度作成し、印刷済封入物用紙ＨＰ’が残留していた場合であっても、この印刷済封入物用紙ＨＰ’から形成された封入物２を含んだ封入物Ｈを封筒Ｆに封入封緘したものである。これにより、テスト封書ＴＦＳを作成することにより、封書作成装置２内に残留する印刷済封入物用紙ＨＰ’が全て取り除かれる。そして、制御装置５０は、テスト封書ＴＦＳを作成した後にジャムが発生した２通目の封書ＦＳの作成処理を再開させる。
【００４５】
また、テスト封書ＴＦＳは、図５に示すように、テスト封書専用の封筒Ｆを作成し、印刷済封入物用紙ＨＰ’が残留していた場合、この印刷済封入物用紙ＨＰ’から形成された封入物Ｈを含んで封筒Ｆに封入封緘させてもよい。これにより、ユーザは、テスト封書ＴＦＳと通常の封書ＦＳと区別し易くなり、通常の封書ＦＳにテスト封書ＴＦＳが混在することを防止できる。
【００４６】
また、テスト封書ＴＦＳは、図６に示すように、白紙の封筒Ｆを作成し、印刷済封入物用紙ＨＰ’が残留していた場合、この印刷済封入物用紙ＨＰ’から形成された封入物Ｈを含んで封筒Ｆに封入封緘させてもよい。白紙の封筒Ｆは、印刷処理を施していないため、作成に時間が掛らず、短時間に封書の作成処理を再開できるようになる。
【００４７】
制御装置５０は、ジャムの発生した通の封筒Ｆおよび封入物Ｈを再度作成してテスト封書ＴＦＳとするのか、テスト封書専用の封筒Ｆを形成してテスト封書ＴＦＳとするのか、もしくは、白紙の封筒Ｆを形成してテスト封書ＴＦＳとするのか、予め受け付けたユーザからの選択に基づいてテスト封書ＴＦＳを自動作成できる。
【００４８】
封書作成装置２の作用について説明する。図７Ａおよび図７Ｂは、封書作成装置２の一連の処理を示すフローチャートである。封書作成装置２は、データ処理装置１０から印刷データを受け取ると、制御装置５０が封書作成処理を開始させる（ＳＴ１）。用紙センサ２７，４５が封書作成処理中にジャムが発生しているか否かを検出する（ＳＴ２）。ジャムが検出されない場合は、１ジョブ、すなわち全通の封書ＦＳの作成が終了したか否かを確認し（ＳＴ３）、全封書ＦＳの作成が終了していた場合は処理を終了し、終了していない場合は引き続き封書作成処理を継続する。
【００４９】
ジャムが検出された場合、制御装置５０が封書作成処理を中断させる（ＳＴ４）。用紙センサ２７，４５が、ジャムが解除されたか否かを検出する（ＳＴ５）。制御装置５０は、ジャム解除が検出されていない場合はジャムが解除されるまで待機させ、ジャム解除が検出された場合はテスト封書ＴＦＳの自動作成が有効か否かを確認し（ＳＴ６）、無効の場合は封書ＦＳの作成処理を再開させる（ＳＴ１１）。テスト封書ＴＦＳの自動作成が有効の場合、テスト封書ＴＦＳを作成させる（ＳＴ７）。なお、ジャム解除の検出は、ユーザのジャム解除完了操作をもって開始する制御としてもよい。
【００５０】
ここで、制御装置５０は、封書作成処理に使用していた排出トレイ４４ａ以外に排出トレイがあるか否かを確認し（ＳＴ８）、封書作成処理に使用していた排出トレイ以外に排出トレイがない場合は使用中の排出トレイ４４ａにテスト封書ＴＦＳを排出する（ＳＴ９）。
【００５１】
封書センサ４６ａ，４６ｂは、使用中の排出トレイ４４ａからジャム発生前に作成された封書ＦＳおよびテスト封書ＴＦＳが取り除かれたか否かを検出する（ＳＴ１０）。制御装置５０は、使用中の排出トレイ４４ａからジャム発生前に作成された封書ＦＳおよびテスト封書ＴＦＳが取り除かれるまで待機し、取り除かれたときに封書ＦＳの作成処理を再開させ（ＳＴ１１）、再びジャムが発生しているか否かを確認する（ＳＴ２）。
【００５２】
制御装置５０は、使用している排出トレイ以外の排出トレイがあるとき、当該排出トレイ４４ｂに封書ＦＳがあるか否かを確認し（ＳＴ１２）、封書ＦＳがあるときは使用中の排出トレイ４４ａにテスト封書ＴＦＳを排出し（ＳＴ９）、封書ＦＳがないときは当該排出トレイ４４ｂにテスト封書ＴＦＳを排出し、封書ＦＳの作成処理を再開させる（ＳＴ１１）。
【００５３】
以上に述べた通り、本実施形態によれば、用紙センサ２７，４５がジャムの発生を検出するとともに、ユーザによるジャムの解除をそれぞれ検出する。そして、制御装置５０が、ジャム発生の検出に基づいて封書作成処理を中断させ、ジャム解除の検出に基づいて、１通のテスト封書ＴＦＳを自動的に作成させる。したがって、封書作成装置２内に印刷済封入物用紙ＨＰ’が残留していた場合であっても、テスト封書ＴＦＳに残留していた印刷済封入物用紙ＨＰ’から形成された封入物Ｈが封入封緘されるため、再開後に作成される封書に残留していた印刷済封入物用紙ＨＰ’による封入物Ｈが混入することを防止できる。
【００５４】
また、本実施形態によれば、封書センサ４６ａが排出トレイ４４ａに封書ＦＳおよびテスト封書ＴＦＳの有無を検出し、排出トレイ４４ａに封書ＦＳおよびテスト封書ＴＦＳがないときに封書作成処理を再開させるため、ジャム発生前に作成した封書ＦＳおよび再開によって作成された封書ＦＳにテスト封書ＴＦＳが混在してしまうことを防止できる。
【００５５】
また、本実施形態によれば、排出トレイ４４ａ，４４ｂのうちジャム発生前に使用していた排出トレイ４４ａ以外に使用していた排出トレイ４４ｂにテスト封書ＴＦＳが排出されるため、ジャム発生前に作成した封書ＦＳおよび再開によって作成された封書ＦＳにテスト封書ＴＦＳが混在してしまうことを防止できる。また、本実施形態によれば白紙封筒Ｆで形成されたテスト封書ＴＦＳを自動的に作成することでテスト封書ＴＦＳの作成時間を短縮でき、そして出力されたテスト封書ＴＦＳを取除くユーザ操作を不要にすることで封書作成処理をスムーズに再開できる。
【００５６】
また、本実施形態によれば、封書作成装置内から完全に取り除かれたか否かをセンサによって確認できない可能性がある封入物用紙を用いた封書作成ジョブ実行時のみ、ユーザが選択的にテスト封書ＴＦＳの作成を指示することができるため、複数ジョブ実行時の封書作成処理時間を短縮することができる。
【符号の説明】
【００５７】
Ｆ              封筒
ＦＰ            封筒用紙
ＦＰ’          印刷済封筒用紙
ＦＳ            封書
Ｈ              封入物
ＨＰ            封入物用紙
ＨＰ’          印刷済封入物用紙
ＴＦＳ          テスト封書
１              封書作成システム
２              封書作成装置
２０            印刷装置
２７            用紙センサ
３０            封入封緘装置
４４ａ，４４ｂ  排出トレイ
４５            用紙センサ
４６ａ，４６ｂ  封書センサ
５０            制御装置
【図１】
0005978010.tif 000002
【図２】
0005978010.tif 000003
【図３】
0005978010.tif 000004
【図４】
0005978010.tif 000005
【図５】
0005978010.tif 000006
【図６】
0005978010.tif 000007
【図７Ａ】
0005978010.tif 000008
【図７Ｂ】
0005978010.tif 000009